(57)【要約】【課題】襖やドアなどの間仕切りに通気孔を設ける場合、その通気孔に網状の虫除け板を取り付ける必要がある。従来は虫除け板にナイロン製の網などを用いていたので、ガタつきがあったり、合成樹脂を使っているので廃棄する際に簡単に焼却できない煩わしさがあった。【解決手段】四角形の外縁をなす縁枠材と、その縁枠材の内側に取り付けられる仕切り板を有し、その仕切り板に表裏を貫通する通気孔を設けた間仕切りにおいて、前記仕切り板が通気孔の周囲を互いに対面させて配置した２枚で構成されるとともに、それら２枚の仕切り板の間に編組された紙紐によって作られた紙布からなる虫除け板を不動に挟持し、その紙布によって閉じたものである。【選択図】　　　　図１
2004131934.tif 000002
【特許請求の範囲】
【請求項１】
四角形の外縁をなす縁枠材あるいはその縁枠材の内側に取り付けられる仕切り板により間仕切りされる壁構造を有し、その間仕切り壁に表裏を貫通する通気孔を設けたものにおいて、前記間仕切り壁が通気孔の周囲を互いに対面させて配置した２枚あるいはスリットで構成されるとともに、それら２枚の間仕切り壁の間あるいはスリットに編組された紙紐によって作られた紙布からなる虫除け板を不動に挟持し、その紙布によって閉じられた間仕切りの通気孔。
【請求項２】
請求孔１において、前記紙布を構成する紙紐は複数の紙紐を編組した後、紙紐の相互間を接着して構成してなる間仕切りの通気孔。
【発明の詳細な説明】
【０００１】
【発明の属する技術分野】
この発明は主として、和室や押入れを開閉するのに使用される和襖あるいは障子などの間仕切りに設けられる通気孔に関するものである。
【０００２】
【従来の技術】
従来、和襖その他の間仕切りは、それによって仕切られた内外の通気を阻害するので、これに換気用の通気孔を設けることが行われている。また、その通気孔を通して蚊その他の害虫が出入りしないよう虫除け板として、通気孔にナイロン網や、多数のパンチ孔を形成した薄い板紙によって通気可能に閉じる技術が、出願人によって提案されている。（例えば、特許文献１参照。）
【０００３】
【特許文献１】
特開２００２−２１４３９号公報
【０００４】
【発明が解決しようとする課題】
そこでは通気孔にナイロン製の網など無数の小孔を有する虫除け板や板紙を挟んでいたが、厚さ方向の弾性に欠け湿度の低い時期に上下左右に移動してしまい、大きな孔になったり隙間にほこりがたまることから改良が望まれていた。
【０００５】
また、和室の和襖、障子などは風情が極めて大切で、合成樹脂では外観が劣り、紙の持つ情緒が品質要素として求められていた。
【０００６】
さらに、縁枠材、仕切り板などは木材からなり廃却の際には燃料として熱利用されるが、合成樹脂のような排煙に悪影響を及ぼすような材料の混入を許してしまい、環境保護の観点からも改善が望まれていた。
【０００７】
【課題を解決するための手段】
上記した課題は、四角形の外縁をなす縁枠材あるいはその縁枠材の内側に取り付けられる仕切り板により間仕切りされる壁構造を有し、その間仕切り壁に表裏を貫通する通気孔を設けたものにおいて、前記間仕切り壁が通気孔の周囲を互いに対面させて配置した２枚あるいはスリットで構成されるとともに、それら２枚の間仕切り壁の間あるいはスリットに編組された紙紐によって作られた紙布からなる虫除け板を不動に挟持し、その紙布によって閉じることによって解決される。
そこでは、前記紙布を構成する紙紐は複数の紙紐を編組した後、紙紐の相互間を接着して構成するのが好ましい。
【０００８】
【作用】
仕切り板に設けた通気孔を閉じるための網状の虫除け板が紙紐を編んで作った紙布で作られているため、厚さ方向に凹凸のある質感のある外観となる。また、紙布を構成する紙紐の捩り方を変えたり着色したりすることによって模様や形状の異なる変化に富んだ外観となる。さらに、虫除け板を構成する紙布は紙紐を編んで作られているから厚さが厚くかつ弾力があるので、その弾力を利用して２枚の仕切り板の間に挟み込むことによって若干圧縮した状態で不動に挟持される。
【０００９】
【発明の実施の態様】
以下、本願発明の実施の一形態を説明する。図１中、１０はこの発明に係る間仕切りである。間仕切り１０は和室１１の出入りに使用される引き戸や開閉扉として具体化されている。間仕切り１０たる引き戸や開閉扉は、従来と略同様に、四角形の外縁をなす縦横の縁枠材（カマチ）１２、１３と、その内側を閉じる仕切り板１５を有する。１１ａは引き戸の上下に配置された敷居である。
【００１０】
仕切り板１５はこの態様では、障子枠１５ａ、１５ａと、上中下の３箇所に配置された飾り枠１５ｂ、１５ｂとの２種からなり、後者１５ｂ、１５ｂには細長い小判形の通気孔１６が穿設されている。１７は引き戸を移動させるための引き手であり、中央の飾り枠１５ｂにのみ設けられている。
【００１１】
通気孔１６を設けた飾り枠１５ｂは図２で示すように、厚さ方向に形成されたスリット１８が設けてあり、その間に網状に編組された紙布２０（虫除け板）が挟んである。なお、スリット１８はこの例のように、板材の面と平行に鋸歯を入れて加工されるだけでなく、図４で示すように、予め作られた２枚の板材を若干の隙間を介して重ね合わせて作ることも可能であり、かつ、本願発明に包含される。
また、縁枠材に通気孔を設けて、同様に網状に編組された紙布を挟むことも当然本願発明に包含される。
【００１２】
紙布２０は図３で示すように、紙紐２０ａを縦横に配し交互に上下させて編組したものであり、紙紐２０ａには彩色や模様が施してある。また、必要に応じて、それらの表面へ透明なニスを塗布したものが使用される。透明ニスは紙紐２０ａに施した彩色や模様を保護するとともに、編組された紙紐２０ａの相互を不動に接着させるための接着材として作用するもので、編組された状態を安定に保持する。また、透明ニスには殺虫剤を混入することも試みている。
【００１３】
紙布２０を飾り枠１５ｂへ固定するには、前記スリット１８によって分離された２枚の間に挿入し固定される。スリット１８の隙間は紙布２０の厚さよりやゝ狭く作られており、紙布２０をスリット１８の中へ引き込むと、紙紐２０ａはスリット１８の内面に押圧されて軽く圧縮された状態で保持され、その弾力によって取り付け状態がそのまま保持される。
【００１４】
上記実施例によれば、仕切り板１５に設けられる通気孔１６を大きなものとしても、厚さの厚い紙布２０によって閉じられるので、十分な防虫効果が得られる。また、前記通気孔１６を閉じる紙布２０が紙紐２０ａのような太い素材を編んで作っているので外観がよい。また、紙布２０の周縁は通気孔１６を設けた２枚の仕切り板１５によって挟圧されているので、紙布２０を仕切り板１５へ組み付ける作業が容易であるとともに、使用中に紙布２０に外力が加わって移動したり、一側へ膨出したりしたときにも弾力によって容易に復元することができる。
【００１５】
【発明の効果】
本願請求項の発明によれば、紙紐によって作られた紙布には厚さ方向の弾性があって若干圧縮された状態で挟持されるから不動であり、厚さ方向に凹凸があるので質感があって風情ある間仕切りができる。
さらに、廃却の際には合成樹脂のような排煙問題にはならない。
また、造作、改造住宅などで和洋折衷式、つまりドア付の部屋に和襖がある時、ドアの開閉によって部屋が加圧されたり、減圧されたりする場合空気が通気孔を通って圧力平衡を保つが、紙布を用いたものは風音が少ない。
そして、紙布面に外力が加わって変形したときにも弾力によって容易に復元できるなどの効果がある。
【図面の簡単な説明】
【図１】本願発明実施の一実施態様である引き戸を示す正面図である。
【図２】そのＩＩ−ＩＩ断面図である。
【図３】紙布の要部を拡大して示す外観図である。
【図４】他の実施態様を示す図２相当の断面図である。
【符号の説明】
１０・・・・間仕切り（引き戸）
１１・・・・和室
１１ａ・・・敷居
１２、１３・・・・縁枠材
１５・・・・仕切り板
１５ａ・・・・障子枠
１５ｂ・・・・飾り枠
１６・・・・通気孔
１７・・・・引き手
１８・・・・スリット
２０・・・・紙布（虫除け板）
２０ａ・・・紙紐
【図１】
2004131934.tif 000003
【図２】
2004131934.tif 000004
【図３】
2004131934.tif 000005
【図４】
2004131934.tif 000006